(57)【要約】      （修正有）【課題】作業部の過負荷運転を回避することができる移動式電動作業機を提供する。【解決手段】走行部２０Ａ・２０Ｂによって走行しながら、ブレードインバータより供給される電力で駆動されるブレードモータ１２Ａ・１２Ｂによって芝刈り作業を行う電動芝刈作業機１００であって、電力変換器からの負荷トルク値としてブレードインバータからのブレードインバータ電流値に基づいて、作業負荷が一定となるように、走行部２０Ａ・２０Ｂの走行速度を制御する。【選択図】図１
2013017435.tif 000002
【特許請求の範囲】
【請求項１】
移動部によって移動しながら、電力変換器から供給される電力により駆動される作業部によって作業を行う移動式電動作業機であって、
前記電力変換器からの負荷トルク値に基づいて、前記作業部の作業負荷が一定となるように、前記移動部の移動速度を制御する、
移動式電動作業機。
【請求項２】
請求項１記載の移動式電動作業機であって、
前記移動速度は、上限が設定される、
移動式電動作業機。
【請求項３】
請求項２記載の移動式電動作業機であって、
前記移動速度の上限は、操作部によって設定される、
移動式電動作業機。
【請求項４】
移動部によって移動しながら、電力変換器から供給される電力により駆動される作業部によって作業を行う移動式電動作業機であって、
前記電力変換器からの負荷トルク値に基づいて、前記作業部の作業負荷が所定負荷を超えないように、前記移動部の移動速度を制御する、
移動式電動作業機。
【請求項５】
請求項１から４のいずれか一項に記載の移動式電動作業機であって、
前記作業部及び前記電力変換器が複数ある場合には、最大の前記負荷トルク値を負荷トルク値とする、
移動式電動作業機。
【請求項６】
請求項１から５のいずれか一項に記載の移動式電動作業機であって、
前記移動部及び前記作業部を制御する総合制御部を備え、
前記総合制御部を介さずに前記移動部の移動速度を制御する、
移動式電動作業機。
【発明の詳細な説明】
【技術分野】
【０００１】
本発明は、作業部の過負荷運転を回避する機能を有する移動式電動作業機の技術に関する。
【背景技術】
【０００２】
移動式作業機は、移動しながら作業を行う作業機として公知である。具体的な移動式作業機としては、移動しながら芝を刈る芝刈機、または移動しながら土を耕す耕運機等が公知である。移動式電動作業機は、作業部及び移動部が電動駆動による移動式作業機として公知である。具体的な移動式電動作業機としては、電動駆動による芝刈部と、電動駆動による走行部と、を備える電動芝刈作業機が公知である（例えば、特許文献１）。電動芝刈作業機では、バッテリによってインバータに直流電源を供給し、インバータによって直流電源を交流電源に変換し、変換した交流電源をモータに供給して芝刈部を駆動している。
【０００３】
モータは、負荷の上昇によって巻線温度が上昇するものである。そのため、モータ自体には、巻線温度の異常上昇を回避するために、保護装置が設けられている。また、インバータには、モータに過電流を供給しないように、保護装置が設けられている。このように、モータの過負荷運転に対しては、モータ自体またはインバータにそれぞれ保護装置が設けられ、過電流が流れると保護装置により電力供給が遮断される構成とされている。また、電動芝刈作業機のシステム全体としても、これらの保護装置等が作動して運転停止に至らないように、モータの過負荷運転を回避する必要がある。
【０００４】
しかし、電動芝刈作業機の芝刈部の作業負荷は、電動芝刈作業機の作業状況としての走行部の走行速度、芝刈部の地表面からの高さ、芝刈部の刈取速度、あるいは、作業環境としての芝の生え具合等、様々な要因によって決定される。そのため、芝刈部の作業負荷を一意に決定して、過負荷運転を一意に回避することは困難であった。
【先行技術文献】
【特許文献】
【０００５】
【特許文献１】米国特許第５５４００３７号明細書
【発明の概要】
【発明が解決しようとする課題】
【０００６】
本発明の解決しようとする課題は、作業部の過負荷運転を回避することができる移動式電動作業機を提供することである。
【課題を解決するための手段】
【０００７】
本発明の解決しようとする課題は以上の如くであり、次にこの課題を解決するための部を説明する。
【０００８】
即ち、請求項１においては、移動部によって移動しながら、電力変換器から供給される電力により駆動される作業部によって作業を行う移動式電動作業機であって、前記電力変換器からの負荷トルク値に基づいて、前記作業部の作業負荷が一定となるように、前記移動部の移動速度を制御するものである。
【０００９】
請求項２においては、請求項１記載の移動式電動作業機であって、前記移動速度は、上限が設定されるものである。
【００１０】
請求項３においては、請求項２記載の移動式電動作業機であって、前記移動速度の上限は、操作部によって設定されるものである。
【００１１】
請求項４においては、移動部によって移動しながら、電力変換器から供給される電力により駆動される作業部によって作業を行う移動式電動作業機であって、前記電力変換器からの負荷トルク値に基づいて、前記作業部の作業負荷が所定負荷を超えないように、前記移動部の移動速度を制御するものである。
【００１２】
請求項５においては、請求項１から４に記載の移動式電動作業機であって、前記作業部及び前記電力変換器が複数ある場合には、最大の前記負荷トルク値を負荷トルク値とするものである。
【００１３】
請求項６においては、請求項１から５に記載の移動式電動作業機であって、前記移動部及び前記作業部を制御する総合制御部を備え、前記総合制御部を介さずに前記移動部の移動速度を制御するものである。
【発明の効果】
【００１４】
本発明の効果として、以下に示すような効果を奏する。
【００１５】
請求項１においては、作業部の作業負荷を一定にすることによって、作業部の過負荷運転を回避することができる。
【００１６】
請求項２においては、移動部の移動速度に上限を設定することによって、移動式電動作業機が暴走することを防止できる。
【００１７】
請求項３においては、移動速度の上限を操作部によって設定することによって、操作性を向上できる。
【００１８】
請求項４においては、作業部の作業負荷が所定の上限負荷を超えないようにすることによって、作業部の過負荷運転を回避することができる。
【００１９】
請求項５においては、複数の作業部がある場合には、最大の作業負荷を担う作業部を選択することによって、作業部の過負荷運転を回避することができる。
【００２０】
請求項６においては、総合制御部を介さずに作業部の過負荷を回避することによって、急激な負荷変化に対応できる。
【図面の簡単な説明】
【００２１】
【図１】本発明の実施形態に係る電動芝刈作業機の全体的な構成を示した構成図。
【図２】同じく電動芝刈作業機のシステム構成を示す構成図。
【図３】実施形態１の走行速度制御１を示すグラフ図。
【図４】実施形態１の走行速度制御２を示すグラフ図。
【図５】実施形態２のブレード回転速度制御１を示すグラフ図。
【図６】実施形態２のブレード回転速度制御２を示すグラフ図。
【図７】実施形態３のデッキ高さ制御１を示すグラフ図。
【図８】実施形態３のデッキ高さ制御２を示すグラフ図。
【発明を実施するための形態】
【００２２】
図１を用いて、電動芝刈作業機１００の構成について説明する。
電動芝刈作業機１００は、本発明の移動式電動作業機の実施形態に係るものである。電動芝刈作業機１００は、電動駆動によって移動（走行）し、電動駆動によって芝を刈る作業機である。
【００２３】
電動芝刈作業機１００は、移動部としての走行部２０Ａ・２０Ｂを備える機体フレーム２と、作業部１０Ａ・１０Ｂを備えるデッキ３と、デッキ高さ調整部３０と、を具備している。デッキ３は、機体フレーム２の前後方向の中途部における走行輪２１Ａ・２１Ｂと補助輪４Ａ・４Ｂとの間に昇降可能に配置されている。
【００２４】
作業部１０Ａ・１０Ｂは、芝を刈る装置である。作業部１０Ａ・１０Ｂは、デッキ３の左右両側に配置されている。作業部１０Ａ・１０Ｂは、ブレード１１Ａ・１１Ｂと、ブレードモータ１２Ａ・１２Ｂと、ブレードドライバ１３と、を具備している。ブレード１１Ａ・１１Ｂは、芝を刈る回転刃である。ブレードモータ１２Ａ・１２Ｂは、それぞれのブレード１１Ａ・１１Ｂを回転駆動するものである。ブレードドライバ１３は、それぞれのブレードモータ１２Ａ・１２Ｂを回転制御する装置である。なお、ブレードドライバ１３は、ブレードドライバ１３Ａ・１３Ｂから構成されている（図２参照）。
【００２５】
走行部２０Ａ・２０Ｂは、電動芝刈作業機１００を走行させる装置である。走行部２０Ａ・２０Ｂは、機体フレーム２の後部の左右両側に配置されている。走行部２０Ａ・２０Ｂは、走行輪２１Ａ・２１Ｂと、トランスミッション８と、アクスルモータ２２Ａ・２２Ｂと、アクスルドライバ２３Ａ・２３Ｂと、を具備している。走行輪２１Ａ・２１Ｂは、電動芝刈作業機１００の駆動輪である。アクスルモータ２２Ａ・２２Ｂは、それぞれの走行輪２１Ａ・２１Ｂを、トランスミッション８を介して回転駆動するものである。アクスルドライバ２３Ａ・２３Ｂは、それぞれのアクスルモータ２２Ａ・２２Ｂを回転制御する装置である。
【００２６】
デッキ高さ調整部３０は、デッキ３の地表面からの高さ位置を調整する装置である。デッキ高さ調整部３０は、機体フレーム２とデッキ３との間に配置されている。デッキ高さ調整部３０は、デッキ高さ調整機構３１と、デッキモータ３２と、デッキドライバ３３と、を具備している。デッキ高さ調整機構３１は、機体フレーム２とデッキ３とを連結する昇降機構に設けられている。デッキ高さ調整機構３１は、デッキ３の地表面からの高さ位置を調整するものである。デッキモータ３２は、デッキ高さ調整機構３１を駆動するものである。デッキドライバ３３は、デッキモータ３２を回転制御する装置である。
【００２７】
電動芝刈作業機１００は、補助輪４Ａ・４Ｂと、操縦席５と、バッテリ６と、総合制御装置としてのシステムコントローラ５０と、を具備している。補助輪４Ａ・４Ｂは、機体フレーム２の前部の左右両側に配置されている。操作部は、機体フレーム２の前後方向の中途部であって、デッキ３の上方に配置されている。操縦席５の左右両側には、旋回レバー７Ａ・７Ｂが配置されている。バッテリ６は、機体フレーム２の最後部に配置されている。システムコントローラ５０は、操縦席５の下方に配置されている。
【００２８】
図２を用いて、電動芝刈作業機１００の電気システムの構成について説明する。
なお、図２では、強電線（電力供給用配線）を太い実線で示し、弱電線（電気通信線）を１点鎖線で示している。
【００２９】
電動芝刈作業機１００は、電気システムの構成として、作業部１０Ａ・１０Ｂと、移動部としての走行部２０Ａ・２０Ｂと、デッキ高さ調整部３０と、総合制御装置としてのシステムコントローラ５０と、バッテリ６と、を具備している。
【００３０】
作業部１０Ａは、ブレードモータ１２Ａと、ブレードドライバ１３Ａと、を具備している。ブレードドライバ１３Ａには、電力変換器としてのブレードインバータ１４Ａが内蔵されている。ブレードインバータ１４Ａは、バッテリ６より供給される直流電流を交流電流に変換してブレードモータ１２Ａに供給するものである。作業部１０Ａでは、バッテリ６からブレードインバータ１４Ａに直流電流が供給され、ブレードインバータ１４Ａによって供給された直流電流が交流電流に変換され、ブレードドライバ１３Ａによってブレードモータ１２Ａに交流電流が供給される。
【００３１】
作業部１０Ｂは、作業部１０Ａと同様の構成であるため、説明を省略する。
【００３２】
ブレードドライバ１３Ａは、出力電流値となるブレードインバータ電流値Ｉｂａを検知する機能を有している。ブレードインバータ電流値Ｉｂａは、ブレードモータ１２Ａに供給される交流電流値である。また、ブレードインバータ電流値Ｉｂａは、作業部１０Ａの作業負荷に相当する負荷トルク値に比例する。
【００３３】
ブレードドライバ１３Ｂは、出力電流値となるブレードインバータ電流値Ｉｂａを検知する機能を有している。ブレードインバータ電流値Ｉｂｂは、ブレードインバータ電流値Ｉｂａと同様であるため、説明を省略する。
【００３４】
ブレードドライバ１３Ａは、ブレードインバータ１４Ａの出力電流の周波数となるブレードインバータ周波数Ｆｂａを制御する機能を有している。ブレードインバータ周波数Ｆｂａは、ブレードモータ１２Ａの出力回転数と比例し、ブレード１１Ａの回転数とも比例する。すなわち、ブレードインバータ周波数Ｆｂａは、作業速度としてのブレード回転速度Ｖｂａに比例するものである。
【００３５】
ブレードドライバ１３Ｂは、ブレードインバータ１４Ｂの出力電流の周波数となるブレードインバータ周波数Ｆｂｂを制御する機能を有している。ブレードインバータ周波数Ｆｂｂは、ブレードインバータ周波数Ｆｂａと同様であるため、説明を省略する。
【００３６】
走行部２０Ａは、アクスルモータ２２Ａと、アクスルドライバ２３Ａと、を具備している。アクスルドライバ２３Ａは、アクスルインバータ２４Ａが内蔵されている。アクスルインバータ２４Ａは、バッテリ６より供給される直流電流を交流電流に変換してアクスルモータ２２Ａに供給するものである。走行部２０Ａでは、バッテリ６からアクスルインバータ２４Ａに直流電流が供給され、アクスルインバータ２４Ａによって供給された直流電流が交流電流に変換され、アクスルドライバ２３Ａによってアクスルモータ２２Ａに交流電流が供給される。
【００３７】
走行部２０Ｂは、走行部２０Ａと同様の構成であるため、説明を省略する。
【００３８】
アクスルドライバ２３Ａは、アクスルインバータ２４Ａの出力電流の周波数となるアクスルインバータ周波数Ｆａａを制御する機能を有している。アクスルインバータ周波数Ｆａａは、アクスルモータ２２Ａの出力回転数と比例し、走行輪２１Ａの回転数とも比例する。すなわち、アクスルインバータ周波数Ｆａａは、移動速度としての走行速度Ｖに比例するものである。
【００３９】
アクスルドライバ２３Ｂは、アクスルインバータ２４Ｂの出力電流の周波数となるアクスルインバータ周波数Ｆａｂを制御する機能を有している。アクスルインバータ周波数Ｆａｂは、アクスルインバータ周波数Ｆａａと同様であるため、説明を省略する。
【００４０】
デッキ高さ調整部３０は、デッキモータ３２と、デッキドライバ３３と、を具備している。デッキ高さ調整部３０では、バッテリ６からデッキモータ３２に直流電流が供給される。
【００４１】
デッキドライバ３３は、作業位置としてのデッキ３のデッキ高さ位置Ｈを調整するために、デッキモータ３２を制御する機能を有している。
【００４２】
システムコントローラ５０には、ブレードドライバ１３Ａ・１３Ｂと、アクスルドライバ２３Ａ・２３Ｂと、デッキドライバ３３と、が電気通信線（通信バスライン）を介して接続されている。
【００４３】
システムコントローラ５０は、ブレードドライバ１３Ａを介して、ブレードインバータ電流値Ｉｂａを読み込む機能を有している。同様に、システムコントローラ５０は、ブレードドライバ１３Ｂを介して、ブレードインバータ電流値Ｉｂｂを読み込む機能を有している。
【００４４】
システムコントローラ５０は、ブレードドライバ１３Ａを介して、ブレードインバータ周波数Ｆｂａを制御し、ブレード回転速度Ｖｂａを制御する機能を有している。同様に、システムコントローラ５０は、ブレードドライバ１３Ｂを介して、ブレードインバータ周波数Ｆｂｂを制御し、ブレード回転速度Ｖｂｂを制御する機能を有している。
【００４５】
システムコントローラ５０は、アクスルドライバ２３Ａ・２３Ｂを介して、アクスルインバータ周波数Ｆａａ・Ｆａｂを制御し、走行速度Ｖを制御する機能を有している。
【００４６】
システムコントローラ５０は、デッキドライバ３３を介して、デッキ高さ位置Ｈを制御する機能を有している。
【００４７】
電動芝刈作業機１００の作用について説明する。
電動芝刈作業機１００は、走行しながら芝刈り作業を行うものである。そのため、芝が均一に生えていると想定した場合には、走行速度Ｖが高速であれば、作業負荷が増加することになる。一方、走行速度Ｖが低速であれば、作業負荷が減少することになる。
【００４８】
電動芝刈作業機１００は、ブレード１１Ａ・１１Ｂを回転することによって芝刈り作業を行うものである。そのため、芝が均一に生えていると想定した場合には、ブレード回転速度Ｖｂａ・Ｖｂｂが高速であれば、作業負荷が増加することになる。一方、ブレード回転速度Ｖｂａ・Ｖｂｂが低速であれば、作業負荷が減少することになる。
【００４９】
電動芝刈作業機１００は、デッキ３の下部に配置されたブレード１１Ａ・１１Ｂによって芝刈り作業を行うものである。そのため、芝が均一に生えていると想定した場合には、デッキ高さ位置Ｈが地表面から低い位置にあれば、作業負荷が増加することになる。一方、デッキ高さ位置Ｈが地表面から高い位置にあれば、作業負荷が減少することになる。
［実施形態１］
【００５０】
図３〜図４を用いて、実施形態１である走行速度制御について説明する。
走行速度制御は、電動芝刈作業機１００の作業部１０Ａ・１０Ｂが過負荷運転とならないように、走行部２０Ａ・２０Ｂを制御するものである。
【００５１】
図３を用いて、走行速度制御１について説明する。
図３（Ａ）のグラフは、走行速度Ｖの時系列グラフを示している。図３（Ｂ）のグラフは、ブレードインバータ電流値Ｉｂａの時系列グラフを示している。なお、図３（Ａ）及び図３（Ｂ）では、実線が走行速度制御１によるグラフ値であって、破線が走行速度制御１を実行しなかった場合によるグラフ値である。
【００５２】
走行速度制御１は、作業部１０Ａの作業負荷が一定となるように、走行速度Ｖを制御するものである。ここで、作業部１０Ａの作業負荷に相当する値は、ブレードインバータ電流値Ｉｂａである。また、走行速度Ｖは、アクスルインバータ周波数Ｆａａに比例するものである。言い換えれば、走行速度制御１は、ブレードインバータ電流値Ｉｂａが一定となるように、アクスルインバータ周波数Ｆａａを制御するものである。
【００５３】
具体的には、電動芝刈作業機１００が、芝刈り作業中の時刻ｔ１において、芝が密集している、あるいは、長く生えている領域に到達した場合を想定する。このとき、システムコントローラ５０は、時刻ｔ１において、ブレードインバータ電流値Ｉｂａが一定となるように、走行速度Ｖを走行速度Ｖ２から走行速度Ｖ１に減速する。つまり、時刻ｔ１において、作業負荷が大きくなりブレードインバータ電流値Ｉｂａが上昇すると、システムコントローラ５０は、アクスルドライバ２３Ａ・２３Ｂに減速指令信号を送信し、ブレードインバータ電流値Ｉｂａが一定となるように、走行速度Ｖを走行速度Ｖ２から走行速度Ｖ１に減速する。
【００５４】
また、走行速度制御１では、走行速度Ｖの上限値として上限走行速度Ｖｍａｘが設定されている。また、上限走行速度Ｖｍａｘは、旋回レバー７Ａ・７Ｂ（図１参照）の回動位置によって設定される構成としている。つまり、上限走行速度Ｖｍａｘは、旋回レバー７Ａ・７Ｂを所定の位置まで回動した時の最高速度である。
【００５５】
ここで、走行速度制御１は、作業部１０Ａの作業負荷が一定となるように、走行速度Ｖを制御するものとして説明したが、作業部１０Ｂであっても同様とする。
【００５６】
そして、走行速度制御１では、作業部１０Ａのブレードインバータ電流値Ｉｂａ、あるいは、作業部１０Ｂのブレードインバータ電流値Ｉｂｂのうち、電流値の大きい方のブレードインバータ電流値が一定となるように、走行速度Ｖを制御するものとする。
【００５７】
走行速度制御１の効果について説明する。
ブレードモータ１２Ａ・１２Ｂは、負荷の上昇によって巻線温度が上昇するものである。そのため、ブレードモータ１２Ａ・１２Ｂ自体には、巻線温度の異常上昇を回避するために、保護装置が設けられている。また、ブレードインバータ１４Ａ・１４Ｂには、ブレードモータ１２Ａ・１２Ｂに過電流を供給しないように、保護装置が設けられている。このように、ブレードモータ１２Ａ・１２Ｂの過負荷運転に対しては、ブレードモータ１２Ａ・１２Ｂ自体またはブレードインバータ１４Ａ・１４Ｂにそれぞれ保護装置が設けられ、過電流が流れると保護装置により電力供給が遮断される構成とされている。また、電動芝刈作業機１００のシステム全体としては、これらの保護装置等が作動して運転停止に至らないように、作業部１０Ａ・１０Ｂにおける過負荷運転を回避する必要がある。
【００５８】
走行速度制御１によれば、作業部１０Ａ・１０Ｂの作業負荷が一定に制御されることによって、作業部１０Ａ・１０Ｂの過負荷運転を回避することができる。
【００５９】
また、走行速度Ｖに上限走行速度Ｖｍａｘを設定することによって、作業部１０Ａ・１０Ｂの作業負荷が著しく小さい時に、電動芝刈作業機１００が暴走することを防止できる。
【００６０】
さらに、旋回レバー７Ａ・７Ｂの回動角度に応じた上限走行速度Ｖｍａｘを設定する構成によって、操縦者の操縦性を向上できる。
【００６１】
図４を用いて、走行速度制御２について説明する。
図４（Ａ）のグラフは、走行速度Ｖの時系列グラフを示している。図４（Ｂ）のグラフは、ブレードインバータ電流値Ｉｂａの時系列グラフを示している。なお、図４（Ａ）及び図４（Ｂ）では、実線が走行速度制御２によるグラフ値であって、破線が走行速度制御２を実行しなかった場合によるグラフ値である。
【００６２】
走行速度制御２は、作業部１０Ａの作業負荷が所定の上限負荷を超えないように、走行速度Ｖを制御するものである。言い換えれば、走行速度制御２は、負荷トルク値となるブレードインバータ電流値Ｉｂａが所定の上限電流値Ｉｍａｘを越えないように、アクスルインバータ周波数Ｆａａを制御するものである。
【００６３】
具体的には、電動芝刈作業機１００が、芝刈り作業中において、一定の走行速度Ｖ２で作業中に芝が密集している、あるいは、長く生えている領域に到達したと想定する。このとき、作業負荷が増加したため、ブレードインバータ電流値Ｉｂａが上昇する。システムコントローラ５０は、時刻ｔ１において、ブレードインバータ電流値Ｉｂａが上限電流値Ｉｍａｘに到達したと判断すると、ブレードインバータ電流値Ｉｂａが上限電流値Ｉｍａｘを越えないように、走行速度Ｖを走行速度Ｖ２から走行速度Ｖ１に減速する。
【００６４】
ここで、走行速度制御２は、作業部１０Ａの作業負荷が所定の上限負荷を超えないように、走行速度Ｖを制御するものとして説明したが、作業部１０Ｂであっても同様とする。
【００６５】
そして、走行速度制御２では、作業部１０Ａのブレードインバータ電流値Ｉｂａ、あるいは、作業部１０Ｂのブレードインバータ電流値Ｉｂｂのうち、電流値の大きい方のブレードインバータ電流値が上限電流値Ｉｍａｘを越えないように、走行速度Ｖを制御するものとする。
【００６６】
走行速度制御２の効果について説明する。
走行速度制御２によれば、作業部１０Ａ・１０Ｂの作業負荷が所定の上限負荷を超えないようにすることによって、作業部１０Ａ・１０Ｂの過負荷運転を回避することができる。
【００６７】
実施形態１のその他の構成について説明する。
実施形態１では、システムコントローラ５０によって、作業部１０Ａ・１０Ｂの作業負荷が一定となるように（走行速度制御１）、あるいは、作業部１０Ａ・１０Ｂの作業負荷が所定の上限負荷を超えないように（走行速度制御２）、走行速度Ｖを制御する構成とした。しかし、ブレードドライバ１３Ａ・１３Ｂとアクスルドライバ２３Ａ・２３Ｂとが、システムコントローラ５０を介することなく直接通信して、作業部１０Ａ・１０Ｂの作業負荷が一定となるように、あるいは、作業部１０Ａ・１０Ｂの作業負荷が所定の上限負荷を超えないように、走行速度Ｖを制御する構成としても良い。
【００６８】
ブレードドライバ１３Ａ・１３Ｂとアクスルドライバ２３Ａ・２３Ｂとが、システムコントローラ５０を介することなく直接通信することによって、急激な負荷変化に対応できる。
【００６９】
実施形態１では、走行部２０Ａ・２０Ｂの駆動手段をアクスルモータ２２Ａ・２２Ｂとする構成としたが、これに限定されない。例えば、走行部２０Ａ・２０Ｂの駆動手段をエンジンとする構成とし、エンジンコントローラ（ＥＣＵ）をシステムコントローラ５０と接続し、ブレードインバータ電流値Ｉｂａを一定とするようにエンジンの回転数を制御する構成としても良い。
【００７０】
実施形態１では、バッテリ６によって作業部１０Ａ・１０Ｂへの電力を供給する構成としたが、これに限定されない。例えば、エンジン駆動による発電機によって作業部１０Ａ・１０Ｂへの電力を供給し、走行部２０Ａ・２０Ｂの駆動手段をエンジンとする構成としても良い。この場合であれば、ブレードインバータ電流値Ｉｂａを一定とするようにエンジンの回転数を制御する構成としても良い。
［実施形態２］
【００７１】
図５〜図６を用いて、実施形態２であるブレード回転速度制御について説明する。
ブレード回転速度制御は、電動芝刈作業機１００の作業部１０Ａ・１０Ｂが過負荷運転とならないように、ブレード回転速度Ｖｂａ・Ｖｂｂを制御するものである。
【００７２】
図５を用いて、ブレード回転速度制御１について説明する。
図５（Ａ）のグラフは、ブレード回転速度Ｖｂａの時系列グラフを示している。図５（Ｂ）のグラフは、ブレードインバータ電流値Ｉｂａの時系列グラフを示している。なお、図５（Ａ）及び図５（Ｂ）では、実線がブレード回転速度制御１によるグラフ値であって、破線がブレード回転速度制御１を実行しなかった場合によるグラフ値である。
【００７３】
ブレード回転速度制御１は、作業部１０Ａの作業負荷が一定となるように、ブレード回転速度Ｖｂａを制御するものである。ここで、作業部１０Ａの作業負荷に相当する値は、ブレードインバータ電流値Ｉｂａである。また、ブレード回転速度Ｖｂａは、ブレードインバータ周波数Ｆｂａに比例するものである。言い換えれば、ブレード回転速度制御１は、ブレードインバータ電流値Ｉｂａが一定となるように、ブレードインバータ周波数Ｆｂａを制御するものである。
【００７４】
具体的には、電動芝刈作業機１００が、芝刈り作業中の時刻ｔ１において、芝が密集している、あるいは、長く生えている領域に到達した場合を想定する。このとき、システムコントローラ５０は、時刻ｔ１において、ブレードインバータ電流値Ｉｂａが一定となるように、ブレード回転速度Ｖｂａをブレード回転速度Ｖｂａ２からブレード回転速度Ｖｂａ１に減速する。つまり、負荷の増加によりブレードインバータ電流値Ｉｂａが上昇したとシステムコントローラ５０が判断すると、システムコントローラ５０はブレードドライバ１３Ａ・１３Ｂに減速指令信号を送信し、ブレードインバータ電流値Ｉｂａが一定となるように、ブレード回転速度Ｖｂａをブレード回転速度Ｖｂａ２からブレード回転速度Ｖｂａ１に減速する。
【００７５】
また、ブレード回転速度制御１では、ブレード回転速度Ｖｂａの上限値として上限ブレード回転速度Ｖｂｍａｘが設定されている。
【００７６】
ここで、ブレード回転速度制御１は、作業部１０Ａの作業負荷が一定となるように、ブレード回転速度Ｖｂａを制御するものとして説明したが、作業部１０Ｂであっても同様とする。
【００７７】
ブレード回転速度制御１の効果について説明する。
ブレード回転速度制御１によれば、作業部１０Ａ・１０Ｂの作業負荷を一定にすることによって、作業部１０Ａ・１０Ｂの過負荷運転を回避することができる。
【００７８】
また、ブレード回転速度Ｖｂａとブレード回転速度Ｖｂｂとに上限ブレード回転速度Ｖｂｍａｘを設定することによって、作業部１０Ａ・１０Ｂの作業負荷が著しく小さい時に、ブレード１１Ａまたはブレード１１Ｂが暴走回転することを回避できる。
【００７９】
図６を用いて、ブレード回転速度制御２について説明する。
図６（Ａ）のグラフは、ブレード回転速度Ｖｂａの時系列グラフを示している。図６（Ｂ）のグラフは、ブレードインバータ電流値Ｉｂａの時系列グラフを示している。なお、図６（Ａ）及び図６（Ｂ）では、実線がブレード回転速度制御２によるグラフ値であって、破線がブレード回転速度制御２を実行しなかった場合によるグラフ値である。
【００８０】
ブレード回転速度制御２は、作業部１０Ａの作業負荷が所定の上限負荷を超えないように、ブレード回転速度Ｖｂａを制御するものである。言い換えれば、ブレード回転速度制御２は、ブレードインバータ電流値Ｉｂａが所定の上限電流値Ｉｍａｘを越えないように、ブレードインバータ周波数Ｆｂａを制御するものである。
【００８１】
具体的には、例えば、電動芝刈作業機１００が、一定のブレード回転速度Ｖｂａで作業中に芝が密集している、あるいは、長く生えている領域に到達したと想定する。このとき、作業負荷が増加したため、ブレードインバータ電流値Ｉｂａが上昇する。システムコントローラ５０は、時刻ｔ１において、ブレードインバータ電流値Ｉｂａが上限電流値Ｉｍａｘに到達したと判断すると、ブレードインバータ電流値Ｉｂａが上限電流値Ｉｍａｘを越えないように、ブレード回転速度Ｖｂａをブレード回転速度Ｖｂａ２からブレード回転速度Ｖｂａ１に減速する。
【００８２】
ここで、ブレード回転速度制御２は、作業部１０Ａの作業負荷が所定の上限負荷を超えないように、ブレード回転速度Ｖｂａを制御するものとして説明したが、作業部１０Ｂであっても同様とする。
【００８３】
ブレード回転速度制御２の効果について説明する。
ブレード回転速度制御２によれば、作業部１０Ａ・１０Ｂの作業負荷が所定の上限負荷を超えないようにすることによって、作業部１０Ａ・１０Ｂの過負荷運転を回避することができる。
［実施形態３］
【００８４】
図７〜図８を用いて、実施形態１であるデッキ高さ制御について説明する。
デッキ高さ制御は、電動芝刈作業機１００の作業部１０Ａ・１０Ｂが過負荷運転とならないように、デッキ３の高さ位置（作業高さ位置）を制御するものである。
【００８５】
図７を用いて、デッキ高さ制御１について説明する。
図７（Ａ）のグラフは、デッキ高さ位置Ｈの時系列グラフを示している。図７（Ｂ）のグラフは、ブレードインバータ電流値Ｉｂａの時系列グラフを示している。なお、図７（Ａ）及び図７（Ｂ）では、実線がデッキ高さ制御１によるグラフ値であって、破線がデッキ高さ制御１を実行しなかった場合によるグラフ値である。
【００８６】
デッキ高さ制御１は、作業部１０Ａの作業負荷が一定となるように、デッキ高さ位置Ｈを制御するものである。ここで、作業部１０Ａの作業負荷に相当する値は、ブレードインバータ電流値Ｉｂａである。すなわち、デッキ高さ制御１は、言い換えれば、ブレードインバータ電流値Ｉｂａが一定となるように、デッキ高さ位置Ｈの調整を制御するものである。
【００８７】
具体的には、電動芝刈作業機１００が、芝刈り作業中の時刻ｔ１において、芝が密集している、あるいは、長く生えている領域に到達した場合を想定する。このとき、システムコントローラ５０は、時刻ｔ１において、ブレードインバータ電流値Ｉｂａが一定となるように、デッキ高さ位置Ｈをデッキ高さ位置Ｈ１からデッキ高さ位置Ｈ２に調整する。つまり、時刻ｔ１において、負荷の増加によりブレードインバータ電流値Ｉｂａが上昇したとシステムコントローラ５０が判断すると、システムコントローラ５０はデッキドライバ３３に上昇指令信号を送信し、ブレードインバータ電流値Ｉｂａが一定となるように、デッキ高さ調整機構３１を作動させてデッキ３を上昇させる。
【００８８】
また、デッキ高さ制御１では、デッキ高さ位置Ｈの下限位置として下限デッキ高さ位置Ｈｍｉｎが設定されている。
【００８９】
デッキ高さ制御１では、作業部１０Ａのブレードインバータ電流値Ｉｂａ、あるいは、作業部１０Ｂのブレードインバータ電流値Ｉｂｂのうち、電流値の大きい方のインバータ電流値が一定となるように、デッキ高さ位置Ｈの調整を制御するものとする。
【００９０】
デッキ高さ制御１の効果について説明する。
デッキ高さ制御１によれば、作業部１０Ａ・１０Ｂの作業負荷を一定にすることによって、作業部１０Ａ・１０Ｂの過負荷運転を回避することができる。
【００９１】
また、デッキ高さ位置Ｈに下限デッキ高さ位置Ｈｍｉｎを設定することによって、作業部１０Ａ・１０Ｂの作業負荷が著しく小さい時に、デッキ３を急に下げ過ぎて地表面と衝突することがない。
【００９２】
図８を用いて、デッキ高さ制御２について説明する。
図８（Ａ）のグラフは、デッキ高さ位置Ｈの時系列グラフを示している。図８（Ｂ）のグラフは、ブレードインバータ電流値Ｉｂａの時系列グラフを示している。なお、図８（Ａ）及び図８（Ｂ）では、実線がデッキ高さ制御２によるグラフ値であって、破線がデッキ高さ制御２を実行しなかった場合によるグラフ値である。
【００９３】
デッキ高さ制御２は、作業部１０Ａの作業負荷が所定の上限負荷を超えないように、デッキ高さ位置Ｈの調整を制御するものである。言い換えれば、デッキ高さ制御２は、ブレードインバータ電流値Ｉｂａが所定の上限電流値Ｉｍａｘを越えないように、デッキ高さ位置Ｈの調整を制御するものである。
【００９４】
具体的には、電動芝刈作業機１００が、一定のデッキ高さ位置Ｈで芝刈り作業中に、芝が密集している、あるいは、長く生えている領域に到達したと想定する。このとき、作業負荷が増加したため、ブレードインバータ電流値Ｉｂａが上昇する。システムコントローラ５０は、時刻ｔ１において、ブレードインバータ電流値Ｉｂａが上限電流値Ｉｍａｘに到達したと判断すると、ブレードインバータ電流値Ｉｂａが上限電流値Ｉｍａｘを越えないように、デッキドライバ３３に上昇指令信号を送信し、デッキ高さ調整機構３１を作動させて、デッキ高さ位置Ｈをデッキ高さ位置Ｈ１からデッキ高さ位置Ｈ２に調整する。
【００９５】
ここで、デッキ高さ制御２は、作業部１０Ａの作業負荷が所定の上限負荷を超えないように、デッキ高さ位置Ｈの調整を制御するものとして説明したが、作業部１０Ｂであっても同様とする。
【００９６】
そして、デッキ高さ制御２では、作業部１０Ａのブレードインバータ電流値Ｉｂａ、あるいは、作業部１０Ｂのブレードインバータ電流値Ｉｂｂのうち、電流値の大きい方のブレードインバータ電流値が上限電流値Ｉｍａｘを越えないように、デッキ高さ位置Ｈの調整を制御するものとする。
【００９７】
走行速度制御２の効果について説明する。
デッキ高さ制御２によれば、作業部１０Ａ・１０Ｂの作業負荷が所定の上限負荷を超えないようにすることによって、作業部１０Ａ・１０Ｂの過負荷運転を回避することができる。
【００９８】
実施形態３のその他の構成について説明する。
実施形態３では、システムコントローラ５０によって、作業部１０Ａ・１０Ｂの作業負荷が一定となるように（デッキ高さ制御１）、あるいは、作業部１０Ａ・１０Ｂの作業負荷が所定の上限負荷を超えないように（デッキ高さ制御２）、デッキ高さ位置Ｈの調整を制御する構成とした。しかし、ブレードドライバ１３Ａ・１３Ｂとデッキドライバ３３とが、システムコントローラ５０を介することなく直接通信して、作業部１０Ａ・１０Ｂの作業負荷が一定となるように、あるいは、作業部１０Ａ・１０Ｂの作業負荷が所定の上限負荷を超えないように、デッキ高さ位置Ｈの調整を制御する構成としても良い。
【００９９】
ブレードドライバ１３・１３Ｂとデッキドライバ３３とが、システムコントローラ５０を介することなく直接通信することによって、急激な負荷変化に対応できる。
［実施形態１〜３］
【０１００】
電動芝刈作業機１００では、実施形態１〜３のそれぞれを複数組み合わせて芝刈作業を行うこともできる。このとき、実施形態１〜３の優先順位は、実施形態１、実施形態２、実施形態３の順とする。例えば、実施形態１の走行速度制御１と、実施形態２のブレード回転速度制御１とを組み合わせた場合には、走行速度制御１、ブレード回転速度制御１の順で制御が実行される。
【符号の説明】
【０１０１】
３        デッキ
６        バッテリ
８        トランスミッション
１０Ａ    作業部
１０Ｂ    作業部
１１Ａ    ブレード
１１Ｂ    ブレード
１２Ａ    ブレードモータ
１２Ｂ    ブレードモータ
１３Ａ    ブレードドライバ
１３Ｂ    ブレードドライバ
１４Ａ    ブレードインバータ
１４Ｂ    ブレードインバータ
２０Ａ    走行部
２０Ｂ    走行部
２１Ａ    走行輪
２１Ｂ    走行輪
２２Ａ    アクスルモータ
２２Ｂ    アクスルモータ
２３Ａ    アクスルドライバ
２３Ｂ    アクスルドライバ
２４Ａ    アクスルインバータ
２４Ｂ    アクスルインバータ
３０      デッキ高さ調整部
３１      デッキ高さ調整機構
３２      デッキモータ
３３      デッキドライバ
５０      システムコントローラ
１００    電動芝刈作業機
Ｆａａ    アクスルインバータ周波数
Ｆａｂ    アクスルインバータ周波数
Ｆｂａ    ブレードインバータ周波数
Ｆｂｂ    ブレードインバータ周波数
Ｈ        デッキ高さ位置
Ｉｂａ    ブレードインバータ電流値
Ｉｂｂ    ブレードインバータ電流値
Ｖｂａ    ブレード回転速度
Ｖｂｂ    ブレード回転速度
【図１】
2013017435.tif 000003
【図２】
2013017435.tif 000004
【図３】
2013017435.tif 000005
【図４】
2013017435.tif 000006
【図５】
2013017435.tif 000007
【図６】
2013017435.tif 000008
【図７】
2013017435.tif 000009
【図８】
2013017435.tif 000010